【事件の表示】
　特願２００６−１３２１５４「遊技機」拒絶査定不服審判事件〔平成１９年１１月２２日出願公開、特開２００７−３０１１２６〕について、次のとおり審決する。
【結　論】
　本件審判の請求は、成り立たない。
【理　由】
第１　手続の経緯 
　本願は、平成１８年５月１１日の出願であって、平成１９年１月１９日付で拒絶査定がされ、これに対し、平成１９年２月１日に拒絶査定不服審判がされるとともに、同日付で手続補正がなされたものである。 
　 
第２　平成１９年２月１日付の手続補正についての補正却下の決定 
　［補正却下の決定の結論］ 
　　平成１９年２月１日付の手続補正を却下する。 
　［理由］ 
１．補正後の本願発明 
　本件補正により，特許請求の範囲の請求項１は， 
　「前面が開放したキャビネット及び前記キャビネットの前面開口部を開閉する前扉とを備える遊技機において、前記キャビネットの背板の最上部正面に前記遊技機の制御用主基板を機内に取付けるための基板取付け装置が取付けられ、前記基板取付け装置の固定ベース部は、前記キャビネットの背板の所定部に複数の固定ピンにより取付けられ、前記固定ベース部の下辺には、ヒンジ部が形成されており、前記基板取付け装置は、前記主基板の表面及び裏面を外部から視認できるように前記主基板を内部に封入する透明のカバー及びケース本体からなる基板ケースと、遊技機内のケース取付け面に固着され、前記ヒンジ部を除く３辺に枠状の凸部が設けられている前記固定ベース部、及び一辺を中心にして手前側へ傾動するように前記固定ベース部下辺の前記ヒンジ部にヒンジ結合され、前記枠状の凸部に収容される透明の可動保持部からなるケースホルダーとを具備し、前記基板ケースに保持されたカシメピンを、前記ケースホルダーの固定部に押し込むことにより、前記基板ケースと前記可動保持部とが封印固定されるとともに、前記基板ケースが封印固定された状態で、前記可動保持部は前記固定ベース部の正面側に重なり合った使用状態に保持され、ヒンジ結合部を中心に正面側へ傾動して開くことにより前記主基板の裏面を前記正面側から目視でき、前記ケースホルダーには前記基板ケースの下辺部を係止する複数の突起が設けられ、前記可動保持部は、その内側に前記基板ケースが嵌合するように角枠状の凸部が前記ヒンジ部の下辺長手方向と直行する方向に左右に２つ設けられ、前記カバーは押し込み可能に保持された複数のカシメピンを装備し、前記ケース本体に設けられた複数の固定孔に前記カシメピンを押し込むことにより、前記カバーは前記ケース本体に封印固定されること、を特徴とする遊技機。」と補正された。 
　上記補正は，請求項１に記載した発明を特定するために必要な事項である「固定ベース部」について「前記ヒンジ部を除く３辺に枠状の凸部が設けられている」との限定を付加するものであり、また「可動保持部」について「枠状の凸部に収容される」との限定を付加するものであって，平成１８年改正前特許法１７条の２第４項２号の特許請求の範囲の減縮を目的とするものに該当する。 
　そこで，本件補正後の前記請求項１に記載された発明（以下，「本願補正発明」という。）が特許出願の際独立して特許を受けることができるものであるか（平成１８年改正前特許法１７条の２第５項において準用する同法１２６条第５項の規定に適合するか）について以下に検討する。 
　 
２．引用文献について 
　原査定の拒絶の理由に引用された特開２００５−１６８６９７号公報（公開日：平成１７年６月３０日）（以下，「引用文献」という。）には、以下の事項が図面とともに記載されている。 
　 
・記載事項１ 
　「【請求項１】遊技に関する制御を司る制御基板を、開閉可能な一対のケース体内に収容してなる制御基板装置と、該制御基板装置を着脱可能に搭載する台座装置とを備え、前記一対のケース体の少なくとも一方と前記台座装置とには、結合処理により前記一対のケース体を開放不能とするとともに結合後の結合解除処理により痕跡を残した状態で前記一対のケース体を開放可能とする結合手段を設けた遊技機において、 
　前記台座装置に対して前記制御基板装置を所定の離脱方向に変位させることで制御基板装置の離脱を可能とする一方、前記結合手段として、一対のケース体の少なくとも一方と台座装置とのそれぞれに、前記離脱方向とは異なる向きに延び且つ制御基板装置の装着時に連通する連通孔部を有する結合体を形成するとともに、ケース体側の結合体を易破断部にて破断可能に連結し、前記連通孔部に、ケース体側の結合体にのみ係止状態となる挿通部材を挿通させることで前記一対のケース体を開放不能とする構成したことを特徴とする遊技機。」　　　 
　 
・記載事項２　 
　「【００３３】図１〜図５に示すように、スロットマシン１０は、その外殻を形成する筐体１１を備えている。筐体１１は、木製板状に形成された天板１１ａ、底板１１ｂ、背板１１ｃ、左側板１１ｄ及び右側板１１ｅからなり、隣接する各板１１ａ〜１１ｅが接着等の固定手段によって固定されることにより、全体として前面を開放した箱状に形成されている。」 
　 
・記載事項３ 
　「【００３４】筐体１１の前面側には、前面開閉扉としての前面扉１２が開閉可能に取り付けられている。（中略）これにより、前面扉１２は筐体１１に対して両支軸２５ａ，２５ｂを結ぶ上下方向へ延びる開閉軸線を中心として回動可能に支持され、その回動によって筐体１１の前面開放側を開放したり閉鎖することができるように構成されている。」 
　 
・記載事項４ 
　「【００７６】主基板ユニット２００において、台座装置２１０は、筐体１１の背板１１ｃ内側に固定される固定ベース板２１１と、この固定ベース板２１１に回動可能に支持される可動ベース板２１２とを有している。また、主制御装置１３１は、表裏一対のケース体２７１，２７２を有し、それら各ケース体２７１，２７２間に挟まれるようにして主基板２７３が収容されている。固定ベース板２１１、可動ベース板２１２及び各ケース体２７１，２７２は何れも、主基板２７３に合わせるようにして略横長四角状をなし、ポリカーボネート樹脂等の透明な合成樹脂材料により成形されている。なお以下の説明では、表側のケース体２７１を表ケース体、裏側のケース体２７２を裏ケース体とも言う。表ケース体２７１及び裏ケース体２７２により基板ボックスが構成されている。そして、筐体１１の背板１１ｃに台座装置２１０を組み付け、更に台座装置２１０の可動ベース板２１２上に主制御装置１３１を装着することで、主基板ユニット２００が筐体１１に取り付けられるようになっている。」 
　 
・記載事項５　 
　「【００７８】固定ベース板２１１において、底板部２１３には、左端部及び右端部に起立部２１４，２１５がそれぞれ形成されている。そのうち左端部側の起立部２１４には軸支部２１６が２カ所に設けられ、各軸支部２１６には上下方向に貫通する軸孔２１６ａが設けられている。各軸支部２１６の軸孔２１６ａには例えば鋼鉄製の支柱ピン２１７が組み付けられる構成となっている。右端部側の起立部２１５には上下２カ所に係止爪部２１８が設けられている。」 
　 
・記載事項６ 
　「【００８１】ここで、図１７（図８のＡ−Ａ線端面図）には、筐体１１の背板１１ｃに対する固定ベース板２１１の取付構造を示す。（中略）そして、固定ベース板２１１の表側（すなわち背板１１ｃの内側）から底孔部２２２ａ，２２２ｂにネジ２２３が螺着されることで、固定ベース板２１１が背板１１ｃに固定される。ネジ２２３の螺着後、底孔部２２２ａ，２２２ｂにキャップ体２２４が組み込まれる。」 
　 
・記載事項７ 
　「【００８３】一方、可動ベース板２１２において、底板部２４１の長辺部（図の上下両端部）には側板部２４２，２４３が形成され、短辺部の一側（図の左側）には前記側板部２４２，２４３と連なるようにして段差部２４４が形成されている。これら側板部２４２，２４３及び段差部２４４は主制御装置１３１に合わせた高さを有する。」 
　 
・記載事項８ 
　「【００８５】また、可動ベース板２１２の左端部には回動軸部２４９が設けられ、その回動軸部２４９には軸孔２４９ａが形成されている。かかる構成において、前記固定ベース板２１１の軸支部２１６と可動ベース板２１２の回動軸部２４９とが位置合わせされ、その状態で軸支部２１６及び回動軸部２４９の軸孔２１６ａ，２４９ａに支柱ピン２１７が挿通される。これにより、固定ベース板２１１に対して可動ベース板２１２が回動可能に支持される。」 
　 
・記載事項９ 
　「【０１０６】（中略）第１封印部は、表ケース体２７１に設けられた封印結合部２９１と可動ベース板２１２に設けられた封印結合部２５１との結合により封印状態となり得るものであり、便宜上、前者を「差込側結合部２９１」、後者を「受け側結合部２５１」と言い換えて説明を進める。」 
　 
・記載事項１０ 
　「【０１１０】封印処理の実施時においては、図１９（ｂ）に示すように、差込側結合部２９１及び受け側結合部２５１の各孔部２９１ａ，２５１ａに、例えば合成樹脂製で略中空円筒状をなす封印ピン部材３２１が差し込まれる。封印ピン部材３２１は、図１６に示すように、中空状の筒部３２１ａと、フランジ状の頭部３２１ｂと、筒部３２１ａに例えば２カ所設けられ弾性変形可能な係止爪部３２１ｃとを有しており、通常状態では係止爪部３２１ｃが筒部３２１ａの外周よりも外方に突出し、外力を加えることで係止爪部３２１ｃが筒部３２１ａ内に没入することができる構造となっている。」 
　 
・記載事項１１ 
「【０１３３】また、（ｂ）に示す可動ベース板２１２の回動時には、鍵部材（少なくとも図２２の鍵部材Ｋ２）が取り外されるとともに、固定ベース板２１１の係止爪部２１８の係止が解除され、その状態で固定ベース板２１１に対して可動ベース板２１２が図示の如く回動される。このとき、可動ベース板２１２は支柱ピン２１７を回動中心として最大９０度程度回動され、可動ベース板２１２とともに主制御装置１３１の回動先端部側が手前側に引き寄せられる。かかる状態では、主制御装置１３１の裏面側（すなわち主基板２７３の裏面）を視認することが可能となり、各種電子部品や電気配線等に異常や不正が無いか等の確認を行うことができる。」 
　 
・記載事項１２ 
「【０１１７】（中略）第２封印部は、表ケース体２７１に設けられた封印結合部２９３と裏ケース体２７２に設けられた封印結合部３１５との結合により封印状態となり得るものであり、便宜上、前者を「差込側結合部２９３」、後者を「受け側結合部３１５」と言い換えて説明を進める。」 
　 
・記載事項１３ 
「【０１１８】図２０に示すように、表ケース体２７１の差込側結合部２９３には、その上下方向に貫通する孔部２９３ａ（便宜上、上孔部と言う）が形成されており、裏ケース体２７２の受け側結合部３１５には、前記上孔部２９３ａに同軸で連通する孔部３１５ａ（便宜上、下孔部という）が形成されている。上孔部２９３ａには、後述する封印ネジ３２３の頭部を収納するための大径部と、それよりも小径な小径部とが形成されている。下孔部３１５ａには雌ネジ部が形成されている。そして、差込側結合部２９３及び受け側結合部３１５の各孔部２９３ａ，３１５ａに封印ネジ３２３がねじ込まれることで、第２封印部の封印が完了する。封印ネジ３２３は、中間部分に破断容易な破断部（縮径部）を有する、いわゆる破断ネジにより構成されており、当該ネジ３２３をドライバ等の締付け工具によりねじ込む際、所定以上のトルクがかかることで前記破断部が破断される。この破断により、封印ネジ３２３を一旦孔部２９３ａ，３１５ａにねじ込むと、その後は当該ネジ３２３を緩めることが不可能となるようになっている。」 
　 
・記載事項１４ 
　「【０２０６】（ｃ）上記実施の形態では、固定ベース板２１１の短辺部に軸支部を設けたが、同固定ベース板２１１の長辺部に軸支部を設ける構成としても良い。この場合、可動ベース板２１２の手前側への引き込み量は減るが、スロットマシン前方から見た時の主制御装置１３１の対面角度が変わることは同じであり、主基板２７３の確認をやはり好適に実施できる。」 
　 
　以上の記載事項１〜１４及び図１〜３６によれば、引用文献には次の発明が記載されていると認められる。 
　「前面が開放した筐体１１及び筐体１１の前面開口部を開閉する前面扉１２とを備える遊技機において、前記筐体１１の背板１１ｃの最上部正面に前記遊技機の制御用主基板２７３を機内に取り付けるための基板取付け装置が取り付けられ、前記基板取付け装置の固定ベース板２１１は、前記筐体１１の背板１１ｃの所定部に複数のネジ２２３により取り付けられ、前記固定ベース板２１１の側辺には、軸支部２１６が形成されており、前記基板取付け装置は、前記主基板２７３の表面及び裏面を外部から視認できるように前記主基板２７３を内部に封入する透明の表ケース体２７１及び裏ケース体２７２からなる基板ボックスと、遊技機内の基板ボックス取付け面に固着され、前記軸支部の反対側側辺に起立部２１５が設けられている前記固定ベース板２１１、及び一辺を中心にして手前側に傾動するように前記固定ベース板２１１側辺の前記軸支部２１６に回動可能に取り付けた透明の可動ベース板２１２からなる台座装置２１０とを具備し、前記基板ボックスに保持された封印ピン部材３２１を 前記台座装置２１０の受け側結合部２５１に押し込むことにより、前記基板ボックスと前記可動ベース板２１２とが封印固定されるともに、前記基板ボックスが封印固定された状態で、前記可動ベース板２１２は前記固定ベース板２１１の正面側に重なり合った使用状態に保持され、軸支部２１６を中心に正面側に傾動して開くことにより前記主基板の裏面を前記正面側から目視でき、前記可動ベース板２１２は、その内側に前記基板ボックスが嵌合するように側板部２４２、２４３が前記軸支部の側辺方向と直交する方向に２つ設けられ、前記表ケース２７１は押し込み可能に保持された封印ネジ３２３を装備し、前記裏ケース２７２に設けられた複数の封印結合部３１５の孔部３１５ａに前記封印ネジ３２３を押し込むことにより、前記表ケース２７１は前記裏ケース２７２に封印固定される遊技機」（以下、「引用文献記載の発明」という。） 
　 
３．対比 
　引用文献に記載された発明と本願補正発明を対比すると、 
引用文献１記載の発明の 
「筐体１１」、「前面扉１２」、「固定ベース板２１１」、「表ケース体２７１」、「裏ケース体２７２」、「基板ボックス」、「起立部２１５」、「可動ベース板２１２」、「台座装置２１０」、「封印ピン部材３２１」、「台座装置２１０の受け側結合部２５１」、「側板部２４２、２４３」、「孔部３１５ａ」は、 
本願補正発明の 
「キャビネット」、「前扉」、「固定ベース部」、「カバー」、「ケース本体」、「基板ケース」、「凸部」、「可動保持部」、「ケースホルダー」、「カシメピン」、「ケースホルダーの固定部」、「角枠状の凸部」、「固定孔」にそれぞれ相当する。 
　引用文献記載の発明において、固定ベース部に形成された軸支部２１６は支柱ピン２１７とともにヒンジ部となることは自明である。 
　 
　したがって、両者は、 
　「前面が開放したキャビネット及びキャビネットの前面開口部を開閉する前扉とを備える遊技機において、前記キャビネットの背板の最上部正面に前記遊技機の制御用主基板を機内に取付けるための基板取付け装置が取付けられ、前記基板取付け装置の固定ベース部は、前記キャビネットの背板の所定部に複数の固着手段により取り付けられ、前記固定ベース部の辺には、ヒンジ部が形成されており、前記基板取付け装置は、前記主基板の表面及び裏面を外部から視認できるように前記主基板を内部に封入する透明のカバー及びケース本体からなる基板ケースと、遊技機内のケース取付け面に固着され、辺に凸部が設けられている前記固定ベース部、及び一辺を中心にして手前側へ傾動するように前記固定ベース部の前記ヒンジ部にヒンジ結合された透明の可動保持部からなるケースホルダーとを具備し、前記基板ケースに保持されたカシメピンを 前記ケースホルダーの固定部に押し込むことにより、前記基板ケースと前記可動保持部とが封印固定されるともに、前記基板ケースが封印固定された状態で、前記可動保持部は前記固定ベース部の正面側に重なり合った使用状態に保持され、ヒンジ結合部を中心に正面側に傾動して開くことにより前記主基板の裏面を前記正面側から目視でき、前記可動保持部は、その内側に前記基板ケースが嵌合するように角枠状の凸部が前記ヒンジ部の辺方向と直交する方向に２つ設けられ、前記カバーは押し込み可能に保持された複数の固着手段を装備し、前記ケース本体に設けられた複数の固定孔に前記固着手段を押し込むことにより、前記カバーは前記ケース本体に封印固定される遊技機」である点で一致し、以下の各点で相違する。 
　 
＜相違点１＞ 
　固定ベース部とキャビネットの背板の所定部との固着手段として、本願補正発明では固定ピンを用いるのに対し、引用文献記載の発明ではネジ２２３を用いる点。 
＜相違点２＞ 
　ヒンジ部が形成される固定ベースの辺が、本願補正発明では下辺であるのに対し、引用文献記載の発明では側辺である点。 
＜相違点３＞ 
　本願補正発明では固定ベース部に設けられる枠状の凸部がヒンジ部を除く３辺に設けられ、枠状の凸部に可動保持部が収容されるのに対し、引用文献記載の発明では固定ベース部に設けられる凸部がヒンジ部の反対側側辺に設けられる点。　 
＜相違点４＞ 
　本願補正発明ではケースホルダーには基板ケースの下辺部を係止する複数の突起が設けられているのに対し、引用文献記載の発明ではそのような構成は有していない点。 
＜相違点５＞ 
　カバーとカバー本体を封印固定する固着手段として、本願補正発明ではカシメピンを用いるのに対し、引用文献記載の発明では封印ネジ３２３を用いる点。 
　 
４．判断 
　上記相違点について検討する。 
＜相違点１及び５について＞ 
　固着手段として、固定ピン、ネジ、カシメピン、封印ネジは周知のものであり、固着手段としてどれを採用するかは設計事項に過ぎない。したがって、上記相違点１及び５に係る補正発明の構成とすることは当業者が容易に成し得る程度のことである。 
　 
＜相違点２について＞ 
　ヒンジ部が形成される辺を下辺とするか側辺とするかによって、ケースホルダーが傾動する方向が異なるが、「必要なときはいつでも簡単に基板ケース内の裏面を目視確認できる」（本願当初明細書段落００１７）という作用効果において同一であり、他の作用効果においても格別の差異はなく、相違点２は設計事項に過ぎない。 
　また、仮にそうでないとしても、上記引用文献には「同固定ベース板２１１の長辺部に軸支部を設ける構成としても良い。」（上記記載事項１４参照）と記載されており、これは下辺を含む長辺にヒンジ部を変更することを示している。 
　したがって、上記相違点２に係る補正発明の構成とすることは当業者が容易に成し得る程度のことである。 
　 
＜相違点３について＞ 
　引用文献記載の発明において、ヒンジ部と反対側側辺に凸部（起立部２１５）が設けられているが、残った辺へも同様の凸部を設けて可動保持部を収容する枠状とすることは必要に応じて適宜行う程度のことにすぎず、格別な発明力を要するものと認められない。 
　したがって、上記相違点３に係る補正発明の構成とすることは当業者が容易に成し得る程度のことである。 
　 
＜相違点４について＞ 
　一般に、物品を固定する場合、一方を突起等で係止し、他方を固着具で固着することは従来周知（周知例：特開２００３−７０９６４号公報（段落０１２７〜０１２９、図１２の規制片５３１を参照）であり、当該周知の技術手段を引用文献記載の発明において採用することに技術的困難性はない。
　したがって、上記相違点４に係る補正発明の構成とすることは当業者が容易に成し得る程度のことである。
 
　相違点１〜５に係る補正発明の構成を採用することは設計事項であるか又は当業者にとって容易に想到容易であり、これら構成を採用したことによる格別の作用効果を認めることできない。 
　したがって，本願補正発明は，引用文献に記載された発明に基づいて，当業者が容易に発明をすることができたものであるから，特許法２９条２項の規定により特許出願の際独立して特許を受けることができないものである。 
　 
５．むすび 
　以上のとおり，本件補正は，平成１８年改正前特許法１７条の２第５項で準用する同法１２６条第５項の規定に違反するものであり，同法１５９条第１項で準用する同法５３条第１項の規定により却下されるべきものである。　 
第３　本願発明について 
１．本願発明の認定 
　平成１９年２月１日付の手続補正は上記のとおり却下されたので，本願の請求項１に係る発明（以下，「本願発明」という。）は，平成１８年９月２９日付手続補正書の特許請求の範囲の請求項１に記載された事項により特定される，以下のとおりのものである。 
　「前面が開放したキャビネット及び前記キャビネットの前面開口部を開閉する前扉とを備える遊技機において、前記キャビネットの背板の最上部正面に前記遊技機の制御用主基板を機内に取付けるための基板取付け装置が取付けられ、前記基板取付け装置の固定ベース部は、前記キャビネットの背板の所定部に複数の固定ピンにより取付けられ、前記固定ベース部の下辺には、ヒンジ部が形成されており、前記基板取付け装置は、前記主基板の表面及び裏面を外部から視認できるように前記主基板を内部に封入する透明のカバー及びケース本体からなる基板ケースと、遊技機内のケース取付け面に固着される前記固定ベース部、及び一辺を中心にして手前側へ傾動するように前記固定ベース部の前記ヒンジ部にヒンジ結合された透明の可動保持部からなるケースホルダーとを具備し、前記基板ケースに保持されたカシメピンを、前記ケースホルダーの固定部に押し込むことにより、前記基板ケースと前記可動保持部とが封印固定されるとともに、前記基板ケースが封印固定された状態で、前記可動保持部は前記固定ベース部の正面側に重なり合った使用状態に保持され、ヒンジ結合部を中心に正面側へ傾動して開くことにより前記主基板の裏面を前記正面側から目視でき、前記ケースホルダーには前記基板ケースの下辺部を係止する複数の突起が設けられ、前記可動保持部は、その内側に前記基板ケースが嵌合するように角枠状の凸部が前記ヒンジ部の下辺長手方向と直行する方向に左右に２つ設けられ、前記カバーは押し込み可能に保持された複数のカシメピンを装備し、前記ケース本体に設けられた複数の固定孔に前記カシメピンを押し込むことにより、前記カバーは前記ケース本体に封印固定されること、を特徴とする遊技機。」 
　 
２．本願発明の進歩性の判断 
　（１）引用文献 
　原査定の拒絶の理由に引用された引用文献，及びその記載事項は，前記第２の２．に記載したとおりである。　 
　 
　（２）対比・判断 
　本願発明は，前記第２で検討した本願補正発明から、「固定ベース部」の限定事項である「前記ヒンジ部を除く３辺に枠状の凸部が設けられている」、及び「可動保持部」の限定事項である「枠状の凸部に収容される」との構成を省いたものである。 
　そうすると，本願発明の構成要件をすべて含み，さらに他の構成要件を付加したものに相当する本願補正発明が，前記第２の４．に記載したとおり，引用文献に基づいて，当業者が容易に発明をすることができたものであるから，本願発明も同様の理由により，引用文献に基づいて，当業者が容易に発明をすることができたものである。　 
　 
第４　むすび 
　以上のとおり，本願発明は，引用文献に記載された発明に基づいて，当業者が容易に発明をすることができたものであるから，特許法第２９条第２項の規定により特許を受けることができない。 
　よって，結論のとおり審決する。